(57)【要約】【課題】搬送部に貼着された粘着テープの粘着力が低下した場合、粘着テープを短時間で簡単に搬送部から剥がすことが出来るインクジェット記録装置を提供することを目的とする。【解決手段】布帛を粘着テープにて搬送部に貼着して搬送し、画像を記録するインクジェット記録装置であって、前記搬送部から粘着テープを剥がして巻き取る粘着テープ回収部を備えるインクジェット記録装置である。また、前記粘着テープ回収部は、断面形状が星型の形状である巻取りローラを備えることが好ましい。さらには、前記粘着テープ回収部は、インクジェット記録部よりも搬送部の下流側に設置されることが好ましい。【選択図】図１
2014133309.tif 000002
【特許請求の範囲】
【請求項１】
布帛を粘着テープにて搬送部に貼着して搬送し、画像を記録するインクジェット記録装置であって、前記搬送部から粘着テープを剥がして巻き取る粘着テープ回収部を備えることを特徴とするインクジェット記録装置。
【請求項２】
前記粘着テープ回収部は、断面形状が星型の形状である巻取りローラを備えることを特徴とする請求項１に記載のインクジェット記録装置。
【請求項３】
前記粘着テープ回収部は、インクジェット記録部よりも搬送部の下流側に設置されることを特徴とする請求項１または２に記載のインクジェット記録装置。
【発明の詳細な説明】
【技術分野】
【０００１】
本発明は、インクジェット記録方式により布帛に記録するインクジェット記録装置に関する。
【背景技術】
【０００２】
近年、布帛に記録する装置として、インクジェット記録装置が知られている。インクジェット記録装置は、記録ヘッドに形成されたノズルからインクを吐出して、記録を行うもので、高精度な画像を高速で記録することが容易におこなえるという利点を有している。インクジェット記録装置に関し、各種技術が提案されている。
【０００３】
例えば、特許文献１には、導入部、搬送部、プリント部、予備乾燥部、乾燥部及び振り落とし部、データ作成・編集部、色調整部、画像データ格納部及び定着部を備えているプリント装置が開示されている。このプリント装置において、搬送部は、導入部に隣接配置され、ロール間に掛け渡した搬送ベルト、複数段の接着剤塗布ロール及び複数のブラシロール（ベルト面洗浄）を有し、導入部から導入された布帛を搬送ベルトによってプリント部側へと搬送する部分である。搬送部は、複数段の塗布ロールによって接着剤を搬送ベルトに塗布し、導入部から導入された布帛を押圧ロールで搬送ベルトに押圧して張り付け、この状態で搬送する。接着剤は、水性や油性のものが用いられる。また、特許文献２では搬送ベルトの表面に粘着テープを貼り、この粘着テープに布帛を押さえローラにより押圧することで布帛の搬送をおこなっている。
【先行技術文献】
【特許文献】
【０００４】
【特許文献１】特開平９−２３９９６８号公報
【特許文献２】特開２０１０−０８３０４０号公報
【発明の概要】
【発明が解決しようとする課題】
【０００５】
このように布帛へのインクジェット記録は、布帛の記録位置がずれないように、布帛を搬送部に貼着しておこなわれる。そのため、粘着力が低下した場合、粘着テープを交換するなどして粘着力を回復する必要があるが、この作業にこれまで多くの時間を割かれていた。
【０００６】
本発明は、搬送部に貼着された粘着テープの粘着力が低下した場合、粘着テープを短時間で簡単に搬送部から剥がすことが出来るインクジェット記録装置を提供することを目的とする。
【課題を解決するための手段】
【０００７】
上記課題に鑑みなされた本発明は、布帛を粘着テープにて搬送部に貼着して搬送し、画像を記録するインクジェット記録装置であって、前記搬送部から粘着テープを剥がして巻き取る粘着テープ回収部を備えるインクジェット記録装置である。また、前記粘着テープ回収部は、断面形状が星型の形状である巻取りローラを備えることが好ましい。さらには、前記粘着テープ回収部は、インクジェット記録部よりも搬送部の下流側に設置されることが好ましい。
【発明の効果】
【０００８】
本発明によれば、搬送部に貼着された粘着テープの粘着力が低下した場合、粘着テープを短時間で簡単に搬送部から剥がすことが出来るインクジェット記録装置を得ることができる。
【図面の簡単な説明】
【０００９】
【図１】インクジェット記録装置を示す図である。
【図２】粘着テープ回収部を示す図である。
【発明を実施するための形態】
【００１０】
本発明を反映した上記課題解決手段を実施するための実施形態について、図面を用いて以下に詳細に説明する。上記課題解決手段は、以下に記載の構成に限定されるものではなく、同一の技術的思想において種々の構成を採用することができる。例えば、以下に説明する各構成において、所定の構成を省略することもできる。
【００１１】
（インクジェット記録装置）
インクジェット記録装置１００について、図１を参照して説明する。インクジェット記録装置１００は、外部装置（パーソナルコンピュータなど）から入力された、換言すれば、外部装置から取得した画像データにしたがい、インクを吐出し、記録媒体としての布帛３００に、この画像データによって示される画像を記録（捺染）する装置である。インクジェット記録装置１００は、供給部１１０と搬送部１２０とインクジェット記録部１３０と剥離部１４０と粘着テープ回収部１５０と乾燥部１６０と巻取部１７０とを備える。
【００１２】
供給部１１０は、搬送部１２０に布帛３００を供給するための機構である。供給部１１０には、ロール状に巻かれた布帛３００がセットされる。搬送部１２０は、導入ローラ１８０を介して、供給部１１０から供給（搬入）された布帛３００を、インクジェット記録部１３０に搬送し、インクジェット記録部１３０で画像が記録された布帛３００を、さらに、所定の位置へ搬送するための機構である。
【００１３】
インクジェット記録装置１００で用いられる布帛３００について説明する。布帛３００としては、織物、編物、不織布を問わずあらゆるものが用いられる。布帛３００の素材としては、綿、麻、羊毛などの天然繊維、レーヨンなどの再生繊維、アセテート、トリアセテートなどの半合成繊維、ポリエステル、ナイロン、アクリル、ポリプロピレン、ポリエチレン、ポリウレタンなどの合成繊維が用いられる。布帛３００は、これら単独の素材で形成されるか、または、２種以上を混紡、交織など複合して形成される。布帛３００の厚みは、０．５〜２ｍｍが好ましく、目付（単位面積あたりの質量）は５００ｇ／ｍ２以下が好ましい。
【００１４】
また布帛３００には、吐出されるインクを瞬時に受け止め、適度に保持する目的で、インク受理層が設けられていてもよい。インク受理層は、通常、水溶性高分子を主成分としたインク受理剤により形成される。水溶性高分子としては、たとえば、アルギン酸ナトリウム、メチルセルロース、ヒドロキシメチルセルロース、カルボキシメチルセルロース、でんぷん、グアガム、ポリビニルアルコールおよびポリアクリル酸などをあげることができる。これらは２種類以上組み合わせて用いてもよい。さらにインク受理層には、必要に応じて、還元防止剤、界面活性剤、防腐剤、耐光向上剤などを含有させることができる。
【００１５】
搬送部１２０は、無端ベルト１２２と、一対のベルトローラ１２４Ａ，１２４Ｂとを含む。無端ベルト１２２の外周面は、供給部１１０から供給された布帛３００を設置する設置面となる。無端ベルト１２２の外周面には、設置面に設置される布帛を粘着する粘着部１２６が設けられている。粘着部１２６は、設置面に貼られた粘着テープによって形成される。ニップロール１９０は、搬送部１２０の第１位置１２０Ｘに、無端ベルト１２２の設置面（粘着部１２６）と略接触した状態で配置されている。ニップロール１９０は、第１位置１２０Ｘで、布帛３００を搬送部１２０の方向に押圧する。押圧された布帛３００は、粘着部１２６に粘着する。なお、第１位置１２０Ｘは、搬送部１２０の一端側（ベルトローラ１２４Ａ側）の所定の位置である。ここで、ニップロール１９０による押圧力は、５００ｈＰａ程度以下の範囲に設定される。また、粘着部１２６を形成する粘着テープは、５〜２０Ｎ程度の接着力（粘着力）を有するテープが用いられる。
【００１６】
ベルトローラ１２４Ａ，１２４Ｂは、所定の第１駆動機構（モータなど／図１で図示を省略）によって回転する。例えば、ベルトローラ１２４Ａ，１２４Ｂが、反時計方向に回転（図１の矢印α参照）した場合、無端ベルト１２２の回転によって、布帛３００は、粘着部１２６に粘着された状態で、インクジェット記録部１３０の方向に搬送される。
【００１７】
インクジェット記録部１３０は、搬送部１２０の設置面に対向した位置に配置される記録ヘッド（図１で図示を省略）を備え、外部装置からの画像データにしたがい、記録ヘッドそれぞれに形成されたノズルからインクを吐出する。吐出されるインクは、インクジェット記録装置１００が備えるインクタンク（図１で図示を省略）から供給される。インクジェット記録部１３０は、複数の記録ヘッドを備え、各記録ヘッドから異なる色のインクが吐出される。例えば、シアン（Ｃｙａｎ）、マゼンタ（Ｍａｇｅｎｔａ）、イエロー（Ｙｅｌｌｏｗ）、ブラック（ｂｌａｃＫ）のインクがそれぞれの記録ヘッドに供給され、各記録ヘッドから、各色のインクが吐出される。なお、インクジェット記録部１３０は、走査型またはライン型のいずれの形式とすることもできる。
【００１８】
インクジェット記録部１３０での画像の記録に用いられるインクについて説明する。記録に用いるインクは、着色料および添加剤を含有し、水を媒体とする水系インクが用いられる。水系インクの粘度は１〜１０ｃｐｓ程度である。インクに用いる着色料としては、反応染料、酸性染料、直接染料、分散染料などの染料を用いることが可能である一方、顔料を用いることもできる。また、インクには必要に応じて分散剤、消泡剤、浸透剤、濃染剤、ｐＨ調整剤等を添加することができる。
【００１９】
剥離部１４０は、所定の第２駆動機構（モータなど／図１で図示を省略）によって、反時計回り方向に間欠的に回転する。剥離部１４０が反時計方向に毎秒０．０１〜０．１ｍの速度で回転することにより、画像が記録され搬送部１２０で搬送されている布帛３００が、剥離部１４０側に引っ張られ、粘着部１２６から剥離される。これにより、布帛３００は粘着部１２６から剥離される。
【００２０】
乾燥部１６０は、インクジェット記録部１３０で画像が記録され、剥離部１４０によって粘着部１２６から剥離された布帛３００を、風量発生器など（図１で図示を省略）を用いて乾燥するための機構である。乾燥部１６０で乾燥された布帛３００は、巻取部１７０により順次巻き取られ、次工程に供給される。具体的に、発色工程、ソーピング工程および仕上げ工程などの各工程に順次供給される。なお、発色工程は、インクを布帛３００に固着させる工程である。ソーピング工程は、未固着染料や不要な助剤などを洗い流す工程である。仕上げ工程は、しわのばしや、特殊加工(防炎、撥水等)を行う工程である。
【００２１】
粘着テープ回収部１５０は、粘着部１２６の粘着テープの粘着力が低下した場合、搬送部１２０から粘着テープを剥がして巻き取るための機構である。図２で図示するように、粘着テープ回収部１５０は、巻取りローラ１５２とモータ等の巻取り動力部１５４を備える。
【００２２】
巻取りローラ１５２の断面形状については、巻き取った後の粘着テープをカッタ等にて巻取りローラ１５２から簡単に取り除いて処理できるように星型の形状としている。なお、ここでいう星型の形状とは５つの突起形状に限らず、それ以下であっても、それ以上であってもよい（図２では８個）。突起の数については、ローラの外周やローラ製作コスト、粘着テープの粘着力等を考慮し、４〜１０個程度とすることが好ましい。
【００２３】
粘着テープ回収部１５０を設置する位置については、搬送部１２０の上流（ベルトローラ１２４Ａ）側または下流（ベルトローラ１２４Ｂ）側のいずれであってもかまわないが、設置スペースや作業スペースを比較的確保しやすいことから、搬送部１２０の下流（ベルトローラ１２４Ｂ）側、言い換えると、インクジェット記録部１３０よりも搬送部の下流側に設置することが好ましい。
【００２４】
また、図２においては巻取り動力部１５４を備えた例にて説明したが、インクジェット記録装置１００が比較的小型のものである場合には、巻取りローラ１５２にハンドル等を設け、手動にて粘着テープを巻き取っても良い。
【符号の説明】
【００２５】
１００  インクジェット記録装置
１１０  供給部
１２０  搬送部
１２２  無端ベルト
１２４Ａ，１２４Ｂ  ベルトローラ
１２６  粘着部
１３０  インクジェット記録部
１４０  剥離部
１５０  粘着テープ回収部
１５２  巻取りローラ
１５４  巻取り動力部
１６０  乾燥部
１７０  巻取部
３００  布帛
【図１】
2014133309.tif 000003
【図２】
2014133309.tif 000004